(57)【要約】      （修正有）【課題】意匠性、操作性に優れた棚受け具を提供する。【解決手段】棚受け具は、正方形状のスリット１０が設けられたサポート部材１と、スリット１０内に挿入される係止部２１を有する本体部２０とこの本体部２０の係止部２１の下方部に設けられた孔部に出入自在に装着されたピン部材２３とを有するダボ部材と、を備える。スリット１０に挿入された係止部２１の一端部とスリット１０内に突出させたピン部２３によりサポート部材１のスリット１０にダボ部材２が固定される。【選択図】図１３
0003148116.tif 000002
【実用新案登録請求の範囲】
【請求項１】
正方形状のスリットが設けられたサポート部材と、前記スリット内に挿入される係止部を有する本体部とこの本体部の前記係止部の下方部に設けられた孔部に出入自在に装着されたピン部材とを備えたダボ部材と、を備え、前記スリットに挿入された前記係止部の一端部と前記スリット内に突出させた前記ピン部により前記サポート部材のスリットに前記ダボ部材が固定されることを特徴とする棚受け具。
【請求項２】
前記係止部は、略Ｌ字状に形成され、水平部に連接してスリット内に挿入される矩形状の爪部が設けられ、前記水平部が前記スリットの上端側の一辺と前記ピン部材が前記スリットの下端側の一辺と当接して前記サポート部材のスリットに前記ダボ部材が固定されることを特徴とする請求項１に記載の棚受け具。
【請求項３】
前記本体部の孔部内に前記ピン部材を係止部方向に付勢する弾性部材が配置され、前記ピン部材にはピン部材を孔部内に移動させるための作動片が取り付けられていることを特徴とする請求項１又は２に記載の棚受け具。
【請求項４】
前記本体部は矩形形状に形成されていることを特徴とする請求項３に記載の棚受け具。
【請求項５】
前記本体部は円柱形状に形成されるとともに、前記孔部に雌ねじが設けられ、前記ピン部材に前記雌ねじと係合する雄ねじが設けられていることを特徴とする請求項２に記載の棚受け具。
【請求項６】
前記ピン部材の端部には摘み部が設けられ、この摘み部の雄ねじ部側に係合用円柱部が設けられていることを特徴とする請求項５に記載の棚受け具。
【請求項７】
両端部に前記ダボ部の係合用円柱部と係合するロック部を有するアーム部材を備えたことを特徴とする請求項６に記載の棚受け具。
【考案の詳細な説明】
【技術分野】
【０００１】
この考案は、棚受け具に関し、特に、パイプ鋼材に設けられたスリットに挿入固定されるダボを用いた棚受け具に関する。
【背景技術】
【０００２】
通常、棚板等を支持する棚受け用ダボとしては、柱にねじ孔や丸孔を設けておき、その孔にダボをねじ込むかまたは差し込んで固定している。このような構成のダボでは、スリットを設けたパイプ鋼材やチャンネル鋼材などのサポート部材には取り付けることができなかった。
【０００３】
これらパイプ鋼材やチャネル鋼材などからなるサポート部材に取り付けることができるダボ部材をこの出願人は提案している（特許文献１参照）。
【０００４】
このダボは、サポート部材に設けられたスリット内に挿入される爪部を有する本体部と、この本体部に装着されるダボ部材とを備え、前記爪部にスリットに挿入され且つスリットと上下方向の長さと略等しい当接部が設けられている。そして、複数のスリットが設けられたサポート部材の所定のスリットに上記ダボを挿入して固定し、このダボを用いて棚板等を支持するものである。
【特許文献１】特開２００７−２４１２７号公報
【考案の開示】
【考案が解決しようとする課題】
【０００５】
上記したダボであれば、スリットを設けたパイプ鋼材にも容易にダボを取り付けることができる。
【０００６】
ところで、昨今、商品陳列棚においては、ダボの取り付けの操作性のみならず意匠性も重要視される。
【０００７】
上記したダボにおいても操作性、意匠性についても考慮されているが、ユーザの多様な要求を満足するために、さらなる意匠性、操作性に優れた棚受け具が求められている。
【０００８】
そこで、この考案は、意匠性、操作性に優れた棚受け具を提供することを目的とする。
【課題を解決するための手段】
【０００９】
この考案の棚受け具は、正方形状のスリットが設けられたサポート部材と、前記スリット内に挿入される係止部を有する本体部とこの本体部の前記係止部の下方部に設けられた孔部に出入自在に装着されたピン部材とを備えたダボ部材と、を備え、前記スリットに挿入された前記係止部の一端部と前記スリット内に突出させた前記ピン部により前記サポート部材のスリットに前記ダボ部材が固定されることを特徴とする。
【００１０】
また、前記係止部は、略Ｌ字状に形成され、水平部に連接してスリット内に挿入される矩形状の爪部が設けられ、前記水平部が前記スリットの上端側の一辺と前記ピン部材が前記スリットの下端側の一辺と当接して前記サポート部材のスリットに前記ダボ部材が固定されるように構成できる。
【００１１】
また、前記本体部の孔部内に前記ピン部材を係止部方向に付勢する弾性部材が配置され、前記ピン部材にはピン部材を孔部内に移動させるための作動片が取り付けられるように構成できる。
【００１２】
前記本体部は矩形形状に形成することができる。
【００１３】
また、前記本体部は円柱形状に形成されるとともに、前記孔部に雌ねじが設けられ、前記ピン部材に前記雌ねじと係合する雄ねじが設けられて構成することもできる。
【００１４】
上記構成において、更に、前記ピン部材の端部には摘み部が設けられ、この摘み部の雄ねじ部側に係合用円柱部を設けてもよい。
【００１５】
また、上記構成において、更に、両端部に前記ダボ部の係合用円柱部と係合するロック部を有するアーム部材を備えてもよい。
【考案の効果】
【００１６】
この考案は、ダボ部材をサポート部材のスリットに確実にセットできる。また、シンプルな角パイプからなるサポート部材に立方体形状のダボ部材を固定することで、矩形形状で統一感がでて意匠性も優れる。
【考案を実施するための最良の形態】
【００１７】
この考案の実施の形態について図面を参照しながら詳細に説明する。なお、図中同一または相当部分には同一符号を付し、説明の重複を避けるためにその説明は繰返さない。
【００１８】
図１は、この考案の実施形態に用いられるサポート部材を示す正面図、図２は図１のＡ部分の拡大図、図３は図１のＢ−Ｂ’線断面図、図４はこの考案の実施形態に用いられるサポート部材を示す斜視図である。
【００１９】
図１ないし図４に示すように、この考案のサポート部材１は、金属製角パイプの１面に複数の正方形状のスリット１０が複数個設けられている。この実施形態においては、サポート部材１は一辺２５ｍｍの例えばＳＵＳ３０４からなる金属製角パイプに一辺５ｍｍの正方形状の角孔で構成されたスリット１０が１００ｍｍ間隔で複数個設けられている。このサポート部材１を複数本用いて陳列棚の支持枠体が構成される。
【００２０】
サポート部材１の長さは陳列棚の用途により適宜決定され、例えば、高さの低い陳列棚では１３５０ｍｍ、高さが高い陳列棚に用いる場合であれば２７５０ｍｍの長さのものが用いられる。
【００２１】
図５は、この考案の第１の実施形態に用いられるダボ部材を示す斜視図、図６は、この考案の第１の実施形態に用いられるダボ部材を示す断面図、図７は、第１の実施形態のダボ部材の本体部の底面図、図８は同正面図、図９は同側面図である。図１０は第１の実施形態のダボ部材のピン部材を示す側面図、図１１は第１実施形態のダボ部材の作動片を示す側面図である。
【００２２】
第１の実施形態におけるダボ部材２は、サポート部材１のスリット１０内に挿入される係止部２１を有する本体部２０と、この本体部２０の係止部２１の下方部に設けられた孔部２２に出入自在に装着されたピン部材２３とを備える。
【００２３】
図７ないし図９に示すように、本体部２０は略立方体に形成され、サポート部材１に取り付けたとき、サポート部材１のスリット１０が見える側からは正方形状になるように側面側は略正方形状に形成されている。
【００２４】
本体部１０に設けられる係止部２１は、略Ｌ字状に形成され、水平部２１ａに連接してスリット１０内に挿入される矩形状の爪部２１ｂが設けられている。この水平部２１ａがサポート部材１のスリット１０の上端側の一辺と当接する。係止部２１の水平部２１ａと対向する面側には、ピン部材２３が案内される溝２１ｃが設けられている。この溝２１ｃに臨む本体部２０にはピン部材２３が挿入される孔部２２が設けられている。
【００２５】
図７および図８に示すように、本体部２０の棚板を載せる面と対向する面に作動片２４が挿入される小判型の溝孔２５が設けられている。この溝孔２５は孔部２２に届く位置まで設けられている。
【００２６】
図１０に示すように、ピン部材２３はピン本体２３ａとバネ部材に挿入される支柱部２３ｂを備える。ピン本体２３ａには作動片２４に設けられた雄ねじ２４ｂと係合する雌ねじ２３ｃが設けられている。
【００２７】
作動片２４の頭部にはドライバなどと係合するマイナス溝２４ａが設けられている。
【００２８】
図６に示すように、ダボ部材２は、ピン部材２３の支柱部２３ｂにバネ部材２６を装着し、本体部２０の孔部２２にピン部材２３を挿入し、溝孔２５よりピン部材２３の雌ねじ２３ｃに作動片２４の雄ねじ２４ｂを係合させ、ピン部材２３に作動片２４を固定する。
【００２９】
ダボ部材２の孔部２２に挿入されたピン部材２３は、前記作動片２４が溝孔２５の端部に当接するまで、バネ部材２６の付勢力により、係止部２１方向へ移動する。この状態では、ピン部材２３の先端は溝２１ｃに案内され、係止部２１の水平部２１ａを越える位置まで到達するようなっている。このピン部材２３はスリット１０の下端側の一辺と当接する。
【００３０】
サポート部材１にダボ部材２を取り付ける場合は、図１２に示すように、ダボ部材２をサポート部材１のスリット１０部分に押し付ける。このときピン部材２３はバネ部材２６により付勢されているだけである。このため、ピン部材２３はサポート部材１に押し付けられることにより、ピン部材２３の先端が本体部２０の孔部２２に引き込まれる。そして、図１３（ａ）に示すように、スリット１０内に係止部２１を図中矢印方向に従い挿入させる。その後、ピン部材２３がバネ部材２６の付勢力により、係止部２１方向へ移動し、スリット１０内に挿入される。
【００３１】
そして、図１３（ｂ）に示すように、係止部の水平部２１ａがスリット１０の上端側の一辺とピン部材２３がスリット１０の下端側の一辺と当接し、爪部２１ｂと相俟って、サポート部材１のスリット１０にダボ部材２が固定される。
【００３２】
このように、この考案の第１の実施形態によれば、ワンタッチにダボ部材２をサポート部材１のスリット１０に確実にセットできる。
【００３３】
又、取り外しは下側の作動片２４を手前に引くだけで簡単に外すことができる。
【００３４】
図１４は、サポート部材１にダボ部材２を固定した状態を示す斜視図である。図１４に示すように、シンプルな角パイプからなるサポート部材１に立方体形状のダボ部材２を固定することで、矩形形状で統一感がでて意匠性も優れる。また、スリット１０も正方形状の孔で形成しているので、ダボ部材２を取り付けていないスリット１０も正方形の孔が開いている状態となり、すべての構成要素が正方形を基準とした形状とすることができ統一感を図ることができる。
【００３５】
図１５は、この考案の第１の実施形態の棚受け具を用いた陳列棚を示す斜視図、図１６は、図１５の要部斜視図である。
【００３６】
図１５および図１６に示すように、サポート部材１に取り付けたダボ部材２の上にガラス板の棚板３が載せられる。
【００３７】
図１７は、この考案の第２の実施形態を示す棚受け具を示す斜視図、図１８は、第２の実施形態のダボ部材４を示す断面図である。図１９は、第２の実施形態のダボ部材の本体部の底面図、図２０は同正面図、図２１は同側面図である。図２２は第２の実施形態のダボ部材のキャップ部材を示す断面図、図２３は第２の実施形態のピン部材を示す側面図である。
【００３８】
図１７ないし図２３に示すように、第２の実施形態のダボ部材４は、円柱のダボ部材である。
【００３９】
第２の実施形態のダボ部材４の本体部４０は円柱形状に形成されている。この本体部４０にはピン部材５が挿入される孔部４２が設けられている。この孔部４２に雌ねじ４２ａが設けられ、ピン部材５に雌ねじ４２ａと係合する雄ねじ５０ａが設けられている。
【００４０】
ピン部材５の端部には摘み部５１が設けられ、この摘み部５１の雄ねじ５０ａ側に係合用円柱部５２が設けられている。
【００４１】
この実施形態においては、本体部４０に円筒状のキャップ部材６が取り付けられ、ピン部材５の雄ねじ５０ａ部分が外側から見えないように覆っている。
【００４２】
第１の実施形態と同様、本体部４０に設けられる係止部４１は、略Ｌ字状に形成され、水平部４１ａに連接してスリット１０内に挿入される矩形状の爪部４１ｂが設けられている。この水平部４１ａがサポート部材１のスリット１０の上端側の一辺と当接する。係止部４１の水平部４１ａと対向する面側には、ピン部材５が案内される溝４１ｃが設けられている。
【００４３】
本体部４０にキャップ部材６を被せ、本体部４０の孔部４２にピン部材５を挿入し、ねじ５０ａとねじ４２ａを係合させてダボ部材４が構成される。
【００４４】
この第２の実施形態のダボ部材４をサポート部材１に固定するには、図２４に示すように、係止部４１をスリット１０内に挿入し、摘み部５１を回していくと、本体部４０の孔部４２の先端からピン部材５の先端部５０が突出する。
【００４５】
そして、本体部４０水平部４１ａがスリット１０の上端側の一辺と当接し、ピン部材５の先端部５０がスリット１０の下端側の一辺と当接してサポート部材のスリットにダボ部材４が固定される。
【００４６】
第２の実施形態におけるダボ部材４は、このダボ部材４を内部に収容し、ダボ部材４と係合して固定されるアーム部材７を取り付け、このアーム部材７上にガラス板からなる棚板を載せて陳列棚を構成する。
【００４７】
図２５および図２６にこの実施形態に用いられるアーム部材７を示す。図２５は斜視図、図２６は断面図である。
【００４８】
図２５および図２６に示すように、アーム部材７は角パイプ形状のアーム本体７０の両端にキャップ７１がそれぞれ装着されている。
【００４９】
アーム本体７０の両端にはダボ部材４が挿入される小判状の窓部７２が設けられている。この窓部７２の内部にダボ部材４と係合するロック部８が装着されている。
【００５０】
ロック部材８はインロー部材８１とこのインロー部材８１内に移動自在に装着されたロックアーム８２とこのロックアーム８２をアーム本体の端部方向へ付勢するバネ部材８３を備える。
【００５１】
ロックアーム８２はバネ部材８３に挿入される支柱部８２ａとダボ部材４の係合用円柱部５２と係合する爪部８２ｂとロックアーム８２を移動させるためのスイッチ部材９が挿入される溝部８２ｃとを備える。
【００５２】
アーム本体７０にはスイッチ部材９をロック部材８からアーム本体７０の外部に突出させるための溝７３が設けられている。
【００５３】
この溝７３より突出しているスイッチ部材９をバネ部材８３の付勢力に抗して移動させると、ダボ部材４とロック部８との係合が外れ、ダボ部４からアーム部材７を取り外すことができる。
【００５４】
アーム部材７とロック部材８との固定時は、バネ部材８３の付勢力により、爪部８２ｂがダボ部材４の係合用円柱部５２に係合し、ダボ部材４をインロー部材８１の端部８２ｄに押しつけ、アーム部材７のロック部材８とダボ部材４とが係合固定される。
【００５５】
図２７ないし図２９に従い、サポート部材１に取り付けた一対のダボ４、４にアーム部材７を取り付ける方法につき説明する。
【００５６】
図２７および図２９（ａ）に示すように、サポート部材（図２７では図示せず）に一対のダボ４、４を固定する。このダボ部材４、４にアーム部材７の窓部７２を臨ませる。図２８に示すように、スイッチ部材９を９をバネ部材８３の付勢力に抗して移動させる。この状態でダボ部材４をアーム部材７のロック部８内に挿入させる。挿入後、スイッチ部材９から手を離すと、図２９（ｂ）に示すように、バネ部材８３の付勢力により、爪部８２ｂがダボ部材４の係合用円柱部５２に移動して係合し、ダボ部材４をインロー部材８１の端部８２ｄに押しつけ、アーム部材７のロック部材８とダボ部材４とが係合固定される。
【００５７】
今回開示された実施の形態はすべての点で例示であって制限的なものではないと考えられるべきである。この考案の範囲は、上記した実施の形態の説明ではなくて実用新案登録請求の範囲によって示され、実用新案登録請求の範囲と均等の意味および範囲内でのすべての変更が含まれることが意図される。
【産業上の利用可能性】
【００５８】
この考案は、店舗などの陳列棚を支持する棚受け具などに用いることが出来る。
【図面の簡単な説明】
【００５９】
【図１】この考案の実施形態に用いられるサポート部材を示す正面図である。
【図２】図１のＡ部分の拡大図である。
【図３】図1のＢ−Ｂ’線断面図である。
【図４】この考案の実施形態に用いられるサポート部材を示す斜視図である。
【図５】この考案の第１の実施形態に用いられるダボ部材を示す斜視図である。
【図６】この考案の第１の実施形態に用いられるダボ部材を示す断面図である。
【図７】第１の実施形態のダボ部材の本体部の底面図である。
【図８】第１の実施形態のダボ部材の本体部の正面図である。
【図９】第１の実施形態のダボ部材の本体部の側面図である。
【図１０】第１の実施形態のダボ部材のピン部材を示す側面面図である。
【図１１】第１実施形態のダボ部材の作動片を示す側面図である。
【図１２】第１の実施形態におけるダボ部材をサポート部材に取り付ける状態を示す斜視図である。
【図１３】第１の実施形態におけるダボ部材をサポート部材に取り付ける状態を示す断面図であり、（ａ）はダボ部材を挿入する状態を示し、（ｂ）はダボ部材の固定状態を示している。
【図１４】第１の実施形態を示し、サポート部材にダボ部材を固定した状態を示す斜視図である。
【図１５】第１の実施形態を用いた陳列棚を示す斜視図である。
【図１６】図１５の要部斜視図である。
【図１７】この考案の第２の実施形態を示す棚受け具を示す斜視図である。
【図１８】第２の実施形態のダボ部材を示す断面図である。
【図１９】第２の実施形態のダボ部材の本体部の底面図である。
【図２０】第２の実施形態のダボ部材の正面図である。
【図２１】第２の実施形態のダボ部材の側面図である。
【図２２】第２の実施形態のダボ部材のキャップ部材を示す断面図である。
【図２３】第２の実施形態のピン部材を示す側面図である。
【図２４】第２の実施形態のダボ部材をサポート部材に固定する状態を示す断面図である。
【図２５】この第２の実施形態に用いられるアーム部材を示す斜視図である。
【図２６】この第２の実施形態に用いられるアーム部材を示す断面図である。
【図２７】この第２の実施形態のダボ部材にアーム部材を取り付ける状態を説明する斜視図である。
【図２８】この第２の実施形態のダボ部材にアーム部材を取り付ける状態を説明する側面図である。
【図２９】この第２の実施形態のダボ部材にアーム部材を取り付ける状態を説明する側面図である。
【符号の説明】
【００６０】
１  サポート部材、１０  スリット、２、４  ダボ部材、２０、４０  本体部２１、４１  係止部、２２  孔部、２３  ピン部材、５  ピン部材、７  アーム本体。
【図１】
0003148116.tif 000003
【図２】
0003148116.tif 000004
【図３】
0003148116.tif 000005
【図４】
0003148116.tif 000006
【図５】
0003148116.tif 000007
【図６】
0003148116.tif 000008
【図７】
0003148116.tif 000009
【図８】
0003148116.tif 000010
【図９】
0003148116.tif 000011
【図１０】
0003148116.tif 000012
【図１１】
0003148116.tif 000013
【図１２】
0003148116.tif 000014
【図１３】
0003148116.tif 000015
【図１４】
0003148116.tif 000016
【図１５】
0003148116.tif 000017
【図１６】
0003148116.tif 000018
【図１７】
0003148116.tif 000019
【図１８】
0003148116.tif 000020
【図１９】
0003148116.tif 000021
【図２０】
0003148116.tif 000022
【図２１】
0003148116.tif 000023
【図２２】
0003148116.tif 000024
【図２３】
0003148116.tif 000025
【図２４】
0003148116.tif 000026
【図２５】
0003148116.tif 000027
【図２６】
0003148116.tif 000028
【図２７】
0003148116.tif 000029
【図２８】
0003148116.tif 000030
【図２９】
0003148116.tif 000031